(57)【要約】      （修正有）【課題】外部接続のためのボルト付き端子を備えた鉛蓄電池において、ボルトのがたつきを抑制し、電気抵抗が低く、大電流放電に好適な端子構造を提供すること。【解決手段】ボルト端子４を備えた鉛蓄電池において、同極性の極板耳１を集合溶接するストラップ２の天面に台座部３を備え、この台座部３に第１の凹部５を有してこの第１の凹部５にボルトの頭部４ａの高さ方向の一部が嵌合し、ボルトを貫通する貫通孔７とボルト頭部４ａの一部と嵌合し接合する第２の凹部８を備えたボルト固定部材を用いてボルト４を台座部６に固定する。【選択図】  図１
2004311052.tif 000002
【特許請求の範囲】
【請求項１】
ボルト端子を備えた鉛蓄電池であって、同極性の極板耳を集合溶接するストラップの天面に台座部を備え、前記台座部に第１の凹部を有し、この第１の凹部にボルトの頭部の高さ方向の一部が嵌合および接合してなり、前記ボルトを貫通する貫通孔と前記ボルト頭部の一部と嵌合する第２の凹部を備えるとともに前記台座部と嵌合して前記ボルトを前記台座部に固定するボルト固定部材を備えたことを特徴とする鉛蓄電池。
【請求項２】
前記台座部の周囲に凸部を設けるとともに、この凸部と嵌合かつ接合する第３の凹部を前記ボルト固定部材に設けたことを特徴とする請求項１に記載の鉛蓄電池。
【請求項３】
前記ボルト固定部材と前記台座部を電池外装に設けた貫通穴より貫通させ、前記貫通穴周囲に設けた接着剤プールに接着剤を充填して前記貫通穴と前記台座部を封止するとともに、少なくとも前記台座部と前記ボルト固定部材との境界線を前記接着材で被覆したことを特徴とする請求項１もしくは２に記載の鉛蓄電池。
【発明の詳細な説明】
【０００１】
【発明の属する技術分野】
本発明は鉛蓄電池の端子部の構造に関するものである。
【０００２】
【従来の技術】
鉛蓄電池の端子部構造として様々なものが提案されている。その中でも数十Ａｈ以上の比較的大容量のものはそれ以外の小容量のものに比較して放電電流も大きいため、電池端子と外部との接続部の電気抵抗をより低く保つ必要がある。この接続部の電気抵抗が高い場合には、放電時の電圧降下が増大して出力が低下したり、接続部が異常発熱する。
【０００３】
このような電池の端子接続部における問題を解決するために、端子にナットやボルトを埋め込み、外部の接続線をボルトもしくはナットで締結することが行われている。例えば特許文献１には鉛合金製の極柱部品にナット部を形成した端子部材を鋳込んだり、特許文献２のように、端子部材にボルトを嵌合した構造が示されている。
【０００４】
このようなナットやボルトといった部材を鉛合金で鋳込んだ構造の端子では接続作業時にナットやボルトに締付けトルクが生じる。この締付けトルクが過大となった場合にはナット（ボルト）と周囲の鉛合金との間の密着性が損なわれる結果、電気抵抗が増大したり、ナット（ボルト）にがたつきが発生するといった課題があった。
【０００５】
また、特に特許文献２に記載されたものは極柱とボルト間に端子部材を介在させるため、電池内部から外部への電流伝達経路が長くなり、電圧降下が大きくなるといった弊害も有していた。
【０００６】
【特許文献１】
特開２００１−９３５０９号公報
【特許文献２】
特開２００１−１１０３９８号公報
【０００７】
【発明が解決しようとする課題】
本発明は前記したような外部接続のためのボルト付き端子を備えた鉛蓄電池において、ボルトのがたつきを抑制し、電気抵抗が低く、大電流放電に好適な端子構造を提供するものである。
【０００８】
【課題を解決するための手段】
前記した課題を解決するために、本発明の請求項１に係る発明は、ボルト端子を備えた鉛蓄電池であって、同極性の極板耳を集合溶接するストラップの天面に台座部を備え、台座部に第１の凹部を有し、この第１の凹部にボルトの頭部の高さ方向の一部が嵌合および接合してなり、ボルトを貫通する貫通孔とボルト頭部の一部と嵌合する第２の凹部を備えるとともに台座部と嵌合してボルトを台座部に固定するボルト固定部材を備えたことを特徴とするものである。
【０００９】
また、本発明の請求項２に係る発明は、請求項１の鉛蓄電池において、台座部の周囲に凸部を設けるとともに、この凸部と嵌合かつ接合する第３の凹部をボルト固定部材に設けたことを特徴とするものである。
【００１０】
そして本発明の請求項３に係る発明は、請求項１もしくは請求項２の鉛蓄電池において、ボルト固定部材と台座部を電池外装に設けた貫通穴より貫通させ、貫通穴周囲に設けた接着剤プールに接着剤を充填して貫通穴と台座部を封止するとともに、少なくとも台座部とボルト固定部材との境界線を接着材で被覆したことを特徴とするものである。
【００１１】
【発明の実施の形態】
本発明の実施の形態による鉛蓄電池を図面を用いて説明する。
【００１２】
図１は本発明の鉛蓄電池の端子部を示す図である。同極性の極板耳１がストラップ２により集合溶接されている。ストラップ２の天面には台座部３が設けられている。台座部３には第１の凹部５が形成され、この第１の凹部５に黄銅製やステンレス製のボルト４の頭部４ａの高さ方向の一部が嵌合し、接合している。
【００１３】
そしてさらにボルト４はボルト固定部材６によって台座部３に固定される。ボルト固定部材６はねじ部４ｂを貫通させる貫通孔７と、ボルト４の頭部４ａの高さ方向の一部と嵌合する第２の凹部８を有している。ここでボルト固定部材６はボルト４と同様、鉛合金よりも比抵抗が低く、かつ強度にすぐれた黄銅や銅といった金属によって構成することができる。
【００１４】
本発明では鉛合金よりも強度に優れたボルト固定部材６に設けた第２の凹部８とボルトの頭部４ａとが嵌合しているため、ボルト４に締付けトルクがかかっても、容易にボルト固定部材６は変形することはない。したがって、台座部３とボルトの頭部４ａとの接合部（第１の凹部）の変形を抑制することができる。これにより、ボルト４とストラップ２あるいはボルト４とボルト固定部材間での隙間の発生とこれによるボルトのがたつきおよび電気抵抗の増加を抑制することができる。また、ストラップ２の天面に一体に端子構造を設けるため、極板耳１から外部接続用のボルト４までの電流伝達経路を短くできる。その結果、この部分における電圧降下を低減できる。
【００１５】
ストラップ２とボルト４とをボルト固定部材６により一体として端子部９を構成したのち、この端子部９を電池外装１０に設けた貫通穴１１を貫通させ、この貫通穴１１に設けた接着剤プール１２に接着剤１３を充填し、固化させることにより、端子部９と電池外装１０間の封口をし、本発明の鉛蓄電池を得ることができる。接着剤１３としては従来から用いられているエポキシ系接着剤の他、耐酸性を有したものを用いる。また、接着剤の粘度によっては貫通穴１１と台座部３の隙間から接着剤が流失するため、Ｏリング等のゴムパッキン１３を台座部３に装着する。
【００１６】
また、本発明においては台座部３の周囲に凸部１４とこれに対応してボルト固定部材６に第３の凹部１５を設ける。この凸部１４により、台座部３とボルト固定部材６との境界線１６をより上方に位置させることができる。その結果、台座部３と接着剤１３との接触長さをより長く確保できる。この接触長さをより長く確保することによって電解液中の硫酸分が台座部３と接着剤１３との間を這い上がってボルト固定部材６まで到達し、ボルト固定部材を腐食する確率を低下することができる。
【００１７】
また、ボルト固定部材６と台座部３との境界線１６を接着剤１３によって覆うことが好ましい。これによりボルト固定部材６が接着剤１３によって電池外装１０と台座部３に接着されるため、ボルト固定部材６と台座部３との接合強度を高めることができる。
【００１８】
本発明の鉛蓄電池の端子部を製造する方法としては図２に示した方法を採用することができる。すなわち、鋳型１７にボルト固定部材６を配置し、鋳型１７の彫り込み部１８に極板耳部を配置する。そして彫り込み部１８に溶融鉛合金１９を所定量供給し、溶融鉛合金１９を冷却凝固させて図１に示したストラップ２を形成すればよい。なお、このときボルト４とボルト固定部材６とストラップ２との密着性を良好とするため、ボルト４およびボルト固定部材６の表面にＰｂ−Ｓｎ合金メッキやＳｎメッキを施すことが好ましい。
【００１９】
【発明の効果】
以上、説明してきたように、本発明は外部接続のためのボルト付き端子を備えた鉛蓄電池において、ボルトのがたつきを抑制し、電気抵抗が低く、大電流放電に好適な端子構造を提供できることから、工業上、極めて有用である。
【図面の簡単な説明】
【図１】本発明の鉛蓄電池の端子部を示す図
【図２】本発明の鉛蓄電池の端子部の製造工程を示す図
【符号の説明】
１        極板耳
２        ストラップ
３        台座部
４        ボルト
４ａ      頭部
４ｂ      ねじ部
５        第１の凹部
６        ボルト固定部材
７        貫通孔
８        第２の凹部
９        端子部
１０      電池外装
１１      貫通穴
１２      接着剤プール
１３      ゴムパッキン
１４      凸部
１５      第３の凹部
１６      境界線
１７      鋳型
１８      彫り込み部
【図１】
2004311052.tif 000003
【図２】
2004311052.tif 000004